(57)【特許請求の範囲】
【請求項１】
液透過性の表面シート、液不透過性の裏面シート及び両シート間に介在された液保持性の吸収体を具備する吸収性物品において、
前記トップシートと前記吸収体との間に、主として消臭効果を有する層、及び前記吸収体とは別に、主として抗菌効果を有する層が配され、且つ前記トップシートと、主として抗菌効果を有する前記層との間に、キレート剤又は抗酸化剤を含有する層が配され、
主として消臭効果を有する前記層が、多孔性の粉粒体からなる消臭剤を含有し、
主として抗菌効果を有する前記層が、銀、銅又は亜鉛を含む抗菌剤を含有し、
前記抗菌剤は、該抗菌剤が排泄物中に溶出するように含有されており、
前記キレート剤又は抗酸化剤は、前記抗菌剤を捕捉するように含有されている吸収性物品。
【請求項２】
前記吸収体にキレート剤又は抗酸化剤及び高吸収性ポリマーが含有されており、該キレート剤又は該抗酸化剤が、該高吸収性ポリマーの表面付近に配されている請求項１記載の吸収性物品。
【請求項３】
前記キレート剤が水不溶性の粉粒体である請求項１記載の吸収性物品。
【請求項４】
主として抗菌効果を有する前記層が、主として消臭効果を有する前記層と、前記吸収体との間に配され、且つキレート剤又は抗酸化剤を含有する前記層が、前記トップシートと、主として消臭効果を有する前記層との間に配されているか、又は主として消臭効果を有する前記層に前記キレート剤又は前記抗酸化剤が含まれて、キレート剤又は抗酸化剤を含有する前記層が、主として消臭効果を有する前記層と一体化している請求項１記載の吸収性物品。
【発明の詳細な説明】
【０００１】
【発明の属する技術分野】
本発明は、抗菌効果及び消臭効果を兼ね備えた吸収性物品に関する。
【０００２】
【従来の技術及び発明が解決しようとする課題】
従来、使い捨ておむつ等の吸収性物品においては、ゼオライトや活性炭等の消臭剤を用いて、排泄物の臭いをおむつの外に出さないようにした消臭効果を有するものが提案されている。
【０００３】
吸収性物品においては、排泄物に起因して雑菌が発生し、斯かる雑菌が着用者の肌に悪影響を与えたり、或いは悪臭発生の原因ともなる。従って、吸収性物品に抗菌効果を付与することは、消臭効果を付与することと共に重要である。
【０００４】
しかし、従来の吸収性物品においては、消臭効果及び抗菌効果の発現と、吸収性物品に求められる安全性や吸収性能との両立が困難であった。
【０００５】
従って、本発明は、消臭効果及び抗菌効果の発現と、安全性及び吸収性能とが両立された吸収性物品を提供することを目的とする。
【０００６】
【課題を解決するための手段】
本発明者らは鋭意検討した結果、吸収性物品において、消臭効果を発現する部位と抗菌効果を発現する部位とを別々に配置し、これに加えて好適にはキレート剤又は抗酸化剤を有する部位を適宜配置することで前記目的が達成されることを知見した。
【０００７】
本発明は前記知見に基づきなされたもので、液透過性の表面シート、液不透過性の裏面シート及び両シート間に介在された液保持性の吸収体を具備する吸収性物品において、前記トップシートと前記吸収体との間に、主として消臭効果を有する層、及び前記吸収体とは別に、主として抗菌効果を有する層が配され、且つ前記トップシートと、主として抗菌効果を有する前記層との間に、キレート剤又は抗酸化剤を含有する層が配され、主として消臭効果を有する前記層が、多孔性の粉粒体からなる消臭剤を含有し、主として抗菌効果を有する前記層が、銀、銅又は亜鉛を含む抗菌剤を含有する吸収性物品を提供することにより前記目的を達成したものである。
【０００８】
【発明の実施の形態】
以下本発明を、その好ましい実施形態に基づき図面を参照しながら説明する。図１には、本発明の吸収性物品の一例としての使い捨ておむつの一部破断斜視図が示されている。
【０００９】
図１に示すおむつ１は、下着やおむつカバー等の着用具と共に着用されるものであり、液透過性のトップシート２、液不透過性のバックシート３及び液保持性の吸収体４を具備している。トップシート２及びバックシート３はそれぞれ、吸収体４の側縁からおむつ１の幅方向外方へ延出しており、延出した両シートが互いに接合されることで可撓性のサイドフラップ５，５が形成されている。おむつ１の股下部において、サイドフラップ５には、おむつ長手方向に延びる伸縮弾性部材６，６が配されている。伸縮弾性部材６は、トップシート２とバックシート３との間に挟持固定されている。
【００１０】
おむつ１の股下部における吸収体４の左右両側縁から幅方向やや内方の位置において、おむつ１はトップシート側に折り返されており、トップシート同士が対向している。そして、対向したトップシート同士が互いに接合されている。これによって、サイドフラップ５がおむつ股下部において起立するようになる。また、図示していないが、バックシート３の幅方向中央部には、おむつ１を着用具に固定するための粘着領域が、おむつ１の長手方向に設けられている。該粘着領域は、おむつ１の使用前は剥離シート（図示せず）で保護されている。
【００１１】
トップシート２及びバックシート３としては従来公知のものを特に制限無く用いることができる。例えばトップシート２としては不織布や合成樹脂製の開孔フィルムを用いることができる。バックシート３としては合成樹脂製のフィルムを用いることができる。このフィルムは透湿性を有するものであってもよい。吸収体４は、例えばパルプやコットンに代表される天然繊維やポリエチレン、ポリプロピレンおよびポリエステルなどの合成繊維の単独あるいは複合された繊維構造体に高吸収性ポリマーの粒子を適宜配合したものを用いることができる。吸収体４に高吸収性ポリマーが配合されている場合は、該吸収体４にキレート剤又は抗酸化剤が単独で又は複合して配合されることが好ましい。この理由については後述する。特にキレート剤又は抗酸化剤は、高吸収性ポリマーの表面付近に配されていることが、後述する理由により好ましい。キレート剤又は抗酸化剤を高吸収性ポリマーの表面に配するには、例えば高吸収性ポリマーをキレート剤又は抗酸化剤と混合、撹拌すればよい。
【００１２】
高吸収性ポリマーとしては、ポリアクリル酸塩架橋体、ビニルアルコール−アクリル酸塩共重合体架橋体、澱粉−アクリル酸塩グラフト共重合体架橋体及びポリビニルアルコール−ポリ無水マレイン酸塩グラフト共重合体架橋体のようなカルボキシル基又はその塩を有する高分子化合物の部分架橋体や、カルボキシメチルセルロース塩架橋体のような多糖類の部分架橋体が挙げられる。特に吸水性能の点からは、ポリアクリル酸塩架橋体又は澱粉−アクリル酸塩グラフト共重合体架橋体を用いることが好ましく、とりわけポリアクリル酸塩架橋体を用いることが好ましい。
【００１３】
キレート剤としては、多価カルボン酸誘導体、ヒドロキシカルボン酸誘導体、イミノジ酢酸誘導体、有機酸アミド誘導体、  Ｎ−アシル化アミノ酸誘導体、リン酸エステル誘導体、スルホン酸誘導体、多価スルホン酸誘導体、β−ジケトン誘導体、トロボロン誘導体、およびチタン化合物などが挙げられる。特に安全性の面から多価カルボン酸誘導体、例えばエデト酸（エチレンジアミン四酢酸）及びその塩、多価スルホン酸誘導体、例えば１−ヒドロキシエチリデン１，１−ジスルホン酸、トロポロン誘導体、例えばヒノキチオール及びその塩などを用いることが好ましい。
【００１４】
抗酸化剤としては、フェノール誘導体および多価フェノール誘導体などが挙げられる。特に安全性の面から茶抽出物、タンニン、クロロゲン酸、オウゴン抽出物、ゲンチアナ抽出物、リンゴポリフェノール、トコフェロールなどの植物由来の物質が好ましい。
【００１５】
本実施形態のおむつ１においては、図２に示すように、吸収体４が、抗菌消臭シート７によって包まれている。抗菌消臭シート７は、その一側部７ａと他側部７ｂとが重ね合わさるように吸収体４を包んでいる。一側部７ａと他側部７ｂとは、吸収体４の幅方向中央部において重ね合わされており、両者は所定の接合手段によって接合されている。これによって、トップシート２と吸収体４との間、及びバックシート３と吸収体４との間に、抗菌消臭シート７が配されることになる。そして、図２の態様のように、抗菌消臭シート７の両側部７ａ、７ｂが重なった部分をバックシート側に、重なりのない方をトップシート側に配すると、後述する消臭層が肌に近い側に多く位置することになり、消臭効果が強く発揮されるので好ましい。
【００１６】
抗菌消臭シート７は、図３に示すように３層構造となっており、中央に、主として消臭効果を有する層（以下、消臭層という）８が位置し、該消臭層の下面側に、主として抗菌効果を有する層（以下、抗菌層という）９が位置すると共に上面側に、水不溶性のキレート剤、又は抗酸化剤を有する層（以下、キレート層という）１０が位置している。本発明者らは意外にも、消臭層８及び抗菌層９を混在せずに別々に配することで、消臭効果と抗菌効果とがバランス良く発現することを見出した。即ち、消臭層と抗菌層とを混在させると、互いの層に含まれている剤が相手に悪影響を及ぼして消臭効果と抗菌効果とがバランス良く発現しない。更に、消臭層８上に、消臭層８及び抗菌層９とは別にキレート層１０を配することで、消臭効果及び抗菌効果が一層向上し、また、消臭層８よりもトップシート側で発生するおそれのある菌の増殖を防止でき、肌荒れ防止効果が高くなる。
【００１７】
本実施形態のおむつ１においては、トップシート２と吸収体４との間に消臭層８が位置し、該消臭層８とトップシート２との間にキレート層１０が位置している。消臭層８と吸収体４との間には抗菌層９が位置している。その結果、排泄物はキレート層１０、消臭層８、抗菌層９、吸収体４の順で接触することとなる。このような接触の順序によって、まず排泄物中の臭い成分が消臭層８で吸着され消臭効果が発現されると共に抗菌層の抗菌成分（例えば後述する銅イオン）が排泄物中に溶出し、トップシート２側及び吸収体４側に拡散しおむつ１全体に抗菌効果が付与される。また抗菌成分は、トップシート２側ではキレート層１０によって捕捉されトップシート２近傍で新たな抗菌層を形成してトップシート２付近の排泄物中の抗菌成分を減少させる。その結果トップシート２付近の抗菌性を保ちつつ、皮膚の健康状態を維持している常在菌に対する悪影響を軽減させるという効果が発現する。一方吸収体４側に拡散した抗菌成分は高吸収性ポリマーに悪影響を及ぼすおそれがあるが、前述したように高吸収性ポリマー付近にキレート剤又は抗酸化剤を配することで、抗菌成分の高吸収性ポリマーに対する悪影響を低減させ、排泄物に対する高吸収性ポリマーの吸収力を維持することができる。またキレート剤又は抗酸化剤の中には抗菌性を有するものがありこれらを用いることで、抗菌層９からと吸収体４内部からの抗菌成分の拡散により、抗菌効果及びその範囲がより早く広がるという効果が期待できる。排泄物中を拡散したキレート剤又は抗酸化剤は消臭層８で捕捉されるため、これらが皮膚に到達する量が低減され、おむつ１に一層高い安全性が付与されるという効果も期待できる。
【００１８】
消臭層８は主に消臭効果を有する層である。消臭層８は、液透過性及び通気性を有している。このような特性を有する消臭層８は、パルプ等の繊維材料を主体とし、消臭剤を含有する湿式抄紙された紙から好適に構成される。
【００１９】
消臭層８において、繊維材料は、消臭層８の重量に対して５０〜９９重量％、特に７０〜９７重量％配合されていることが、十分な強度及び柔軟性の発現の点から好ましい。繊維材料としては、針葉樹晒クラフトパルプ（ＮＢＫＰ）や広葉樹晒クラフトパルプ（ＬＢＫＰ）などの木材パルプ、及び藁や綿などの非木材パルプ等の吸液性繊維が好ましく用いられる。
【００２０】
消臭層８において、消臭剤は消臭層８の重量に対して１〜５０重量％、特に３〜３０重量％配合されていることが、十分な消臭効果及び柔軟性の発現の点から好ましい。消臭剤としては、排泄物特有の悪臭成分であるステロイド類を効果的に吸着し得る点から多孔性の粉粒体が用いられる。多孔性の粉粒体からなる消臭剤としては、活性炭、多孔性ポリマー、シリカゲル等が好適に挙げられる。これらのうち、活性炭及び多孔性ポリマーを用いることが、ステロイド類の吸着効果が特に高い点から好ましい。
【００２１】
活性炭としては、薬品賦活活性炭を用いることが、ステロイド類の吸着効果が一層高い点から好ましい。薬品賦活活性炭としては、塩化亜鉛賦活活性炭及びリン酸賦活活性炭が挙げられる。同様の理由から、多孔性ポリマーとしては、２，６−ジフェニル−ｐ−フェニレンオキサイドベースポリマー及びジビニルベンゼン−スチレン共重合体などを用いることが好ましい。
【００２２】
消臭層８には、その強度を向上させる目的で、バインダー繊維を配合させることも好ましい。バインダー繊維は、消臭層８の重量に対して０．１〜５重量％、特に１〜２．５重量％配合されていることが、十分な強度発現の点から好ましい。バインダー繊維としては、ポリエチレン繊維、ポリビニルアルコール繊維、カルボキシメチルセルロース繊維などが挙げられる。
【００２３】
消臭層８は、その坪量が、１５〜５０ｇ／ｍ2、特に２０〜３５ｇ／ｍ2であることが、十分な強度及び柔軟性の発現の点から好ましい。
【００２４】
消臭層８においては、消臭効果に加えて付加的な効果が発現するようにしても良い。例えば酸処理した活性炭を消臭剤として用いた場合、該活性炭は弱酸性となりスキンケア効果が発現するので、その場合の消臭層８は、主として消臭効果を有し、付加的にスキンケア効果を有することになる。
【００２５】
抗菌層９は主に抗菌効果を有する層である。抗菌層９は、消臭層８と同様に液透過性及び通気性を有している。このような特性を有する抗菌層９は、パルプ等の繊維材料を主体とし、抗菌剤を含有する湿式抄紙された紙から好適に構成される。
【００２６】
抗菌層９に用いられる繊維材料としては、消臭層８に用いられる繊維材料と同様のものを用いることができる。繊維材料は、抗菌層９の重量に対して９０〜９９．９重量％、特に９５〜９９．７重量％配合されていることが、十分な強度、柔軟性及び抗菌効果の発現の点から好ましい。
【００２７】
抗菌剤としては銀、銅又は亜鉛を含む抗菌剤が用いられる。特に抗菌効果が効果的に発現する点から、尿等の体液と接触して初めて抗菌効果を発現する抗菌剤を用いることが好ましい。体液と接触して初めて抗菌効果を発現する抗菌剤としては、カルボン酸誘導体、特にカルボキシメチル化セルロースの表面に前述の金属のイオンが結合してなるもの（以下、金属ＣＭＣという）を好適に用いることができる。
【００２８】
金属ＣＭＣとしては、金属として銀、銅又は亜鉛を含有するものが、高抗菌効果の点から好ましい。金属ＣＭＣとして市販品も用いることができる。例えば、銅ＣＭＣである株式会社興人製の「クリーンスカイ」（商品名）を用いることができる。金属ＣＭＣは、抗菌層９の重量に対して１．０×１０-3〜５．０重量％、特に５．０×１０-3〜２．０重量％配合されていることが、十分な抗菌効果の発現及び製造コストの低減の点から好ましい。
【００２９】
抗菌層９は、その坪量が１０〜５０ｇ／ｍ2、特に１５〜２５ｇ／ｍ2であることが、強度と柔軟性との両立、及び抗菌効果の発現の点から好ましい。
【００３０】
抗菌層９においては、抗菌効果に加えて、付加的な効果が発現するようにしてもよい。例えば、抗菌剤として前述した金属ＣＭＣを用いた場合、金属ＣＭＣには多少の消臭効果があるので、その場合の抗菌層９は、主として抗菌効果を有し、付加的に消臭効果を有することになる。
【００３１】
キレート層１０はキレート剤又は抗酸化剤を含有している。キレート層１０は、消臭層８及び抗菌層９と同様に液透過性及び通気性を有している。このような特性を有するキレート層１０は、パルプ等の繊維材料を主体とし、キレート剤又は抗酸化剤を含有する湿式抄紙された紙から好適に構成される。
【００３２】
キレート層１０に用いられる繊維材料としては、消臭層８及び抗菌層９に用いられる繊維材料と同様のものを用いることができる。繊維材料は、キレート層１０の重量に対して５０〜９９重量％、特に７０〜９７重量％配合されることが、十分な強度及び柔軟性の発現の点から好ましい。
【００３３】
キレート剤としては従来公知のものを特に制限無く用いることができ、例えば吸収体４に含有されるキレート剤と同じ又は異なるものを用いることもできる。特に、安全性の点から、水不溶性の粉粒体からなるキレート剤を用いることが好ましい。水不溶性の粉粒体からなるキレート剤としては、粘土鉱物、特にゼオライトやモンモリロナイト等を好適に用いることができる。
【００３４】
キレート剤は、キレート層１０の重量に対して１〜５０重量％、特に３〜３０重量％含まれていることが十分なキレート効果の発現、及び製造安定性の向上ひいては製造コストの低減の点から好ましい。
【００３５】
一方、キレート層１０に用いられる抗酸化剤としては、吸収体に配合される抗酸化剤として前述したものと同様のものを用いることができる。キレート層１０における抗酸化剤の量は、同層におけるキレート剤の量と同様とすることができる。
【００３６】
キレート層１０は、その坪量が１０〜５０ｇ／ｍ2、特に１５〜２５ｇ／ｍ2であることが、強度と柔軟性との両立及び十分なキレート効果の発現の点から好ましい。
【００３７】
キレート層１０においては、キレート剤又は抗酸化剤が主として有する効果に加えて、付加的な効果を発現するようにしても良い。例えば、キレート剤として前述したゼオライトを用いた場合、ゼオライトには多少の消臭効果があるので、その場合のキレート層１０は、主としてキレート効果を有し、付加的に消臭効果を有することになる。
【００３８】
本実施形態においては、図３に示すように、１層の消臭層８と１層の抗菌層９と１層のキレート層１０とから１枚の抗菌消臭シート７が構成されている。そして、消臭層８は、抗菌層９、キレート層１０よりも幅が短くなっている。その結果、抗菌層９及びキレート層１０はそれぞれ消臭層８の上下面を覆い、更に消臭層８の左右両側縁から外方に延出している。そして、延出した抗菌層９とキレート層１０とが接着剤や抄き合わせによって互いに接合している。従って、抗菌消臭シート７においては、その両側部７ａ，７ｂ全体に亘って消臭層８が存在していない。このような構成を有する抗菌消臭シート７においては、該抗菌消臭シート７の両側部７ａ，７ｂが抗菌層９及びキレート層１０によって封鎖されているので、おむつ１の装着中に、消臭層８に含有される消臭剤の脱落が防止される。
【００３９】
抗菌消臭シート７における側部７ａ，７ｂの幅は、消臭剤の脱落防止、消臭剤の含有効率および抗菌消臭シート加工安定性の点から０．１〜１０ｃｍ、特に０．５〜５ｃｍであることが好ましい。
【００４０】
抗菌消臭シート７は、例えば次の方法で好適に製造される。先ず、繊維原料及び消臭剤並びに必要に応じてバインダー繊維を含有するスラリーを抄紙原料として、通常の湿式抄紙法により消臭層を形成する。これとは別に、繊維原料及び抗菌剤を含有するスラリーを抄紙原料として、湿式抄紙用により抗菌層を形成する。さらに繊維原料及びキレート剤を含有するスラリーを抄紙原料として、湿式抄紙用によりキレート層を形成する。得られた消臭層と抗菌層とキレート層とを、抄紙機上で抄き合わせるか、又は貼り合わせ機を用いて接着剤などにより貼り合わせて、抗菌層とキレート層の間に消臭層を介在させた抗菌消臭シート７が得られる。
【００４１】
本発明は前記実施形態に制限されない。例えば、前記実施形態においては、抗菌消臭シート７は３層構造であったが、他の形態として、消臭層がキレート層の機能を有している場合（例えば消臭層にキレート剤又は抗酸化剤が含有されている場合）には、前記抗菌消臭シートを、パルプシート層、キレート層が一体化した消臭層、抗菌層の３層構造とすることもできるし、キレート層が一体化した１層の消臭層と１層の抗菌層とからなる２層構造とすることもできる。
【００４２】
また前記実施形態においては、消臭層８と抗菌層９とが隣接していたが、必要に応じ、両層間に他の機能を有する層を介在させてもよい。
【００４３】
また本発明は、使い捨ておむつに限られず、生理用ナプキンや失禁パッド等の他の吸収性物品にも同様に適用可能である。
【００４４】
【実施例】
以下の例中、特に断らない限り、「％」は「重量％」を意味する。
【００４５】
〔実施例１〕
パルプ、塩化亜鉛賦活活性炭及びバインダー繊維（ポリビニルアルコール）を含有するスラリーを抄紙原料として、湿式抄紙法によって乾燥坪量３０ｇ／ｍ2の消臭層を製造した。消臭層におけるパルプの割合は８２．７％、塩化亜鉛賦活活性炭の割合は１６．５％、バインダー繊維の割合は０．８％であった。
【００４６】
これと別に、パルプ及び銅ＣＭＣ〔株式会社興人製の「クリーンスカイ」（商品名）〕を含有するスラリーを抄紙原料として、湿式抄紙法によって乾燥坪量１６ｇ／ｍ2の抗菌層を製造した。抗菌層におけるパルプの割合は９９％、銅ＣＭＣの割合は１％であった。
【００４７】
さらに、パルプ及びゼオライトを含有するスラリーを抄紙原料として、湿式抄紙法によって乾燥坪量１６ｇ／ｍ2のキレート層を製造した。キレート層におけるパルプの割合は８５％、ゼオライトの割合は１５％であった。
【００４８】
各層が湿潤状態のうちに、抄き合わせによって消臭層の両側にそれぞれ抗菌層及びキレート層を重ね合わせ、図３に示す構造を有する抗菌消臭シートを得た。パルプ、高吸収性ポリマー粒子及びエデト酸２ナトリウム（ＥＤＴＡ２Ｎａ）の混合物（高吸収性ポリマー：ＥＤＴＡ２Ｎａ＝４：１）からなる吸収体を、得られた抗菌消臭シートによって図２に示すように包んだ。このとき、キレート層が外方を向き、抗菌層が吸収体と対向するようにした。そして、この上下に、サクションヒートボンド不織布からなるトップシート及びポリエチレンフィルムからなるバックシートをそれぞれ配し、図１に示す構造の使い捨ておむつを得た。
【００４９】
〔実施例２〕
実施例１において、塩化亜鉛賦活活性炭を含む消臭層に代えて、ジビニルベンゼン−スチレン共重合体の粒子及びゼオライト粒子７：３の混合物を坪量１６ｇ／ｍ2の２枚のパルプシートの間にはさみバインダーで固定したものを消臭・キレート層として用い、且つキレート層を用いず、抗菌消臭シートを２層構造とする以外は実施例１と同様にして使い捨ておむつを得た。このとき、消臭・キレート層が外方を向き、抗菌層が吸収体と対向するようにした。消臭・キレート層におけるパルプの割合は７７％、ジビニルベンゼン−スチレン共重合体／ゼオライトの割合は２２％、バインダー繊維の割合は１％であった。
【００５０】
〔実施例３〕
実施例１において、吸収体にＥＤＴＡ２Ｎａを配合しない以外は実施例１と同様にして使い捨ておむつを得た。
【００５１】
〔比較例１〕
実施例１において、消臭層に塩化亜鉛賦活活性炭を配合しない以外は比較例１と同様にして使い捨ておむつを得た。
【００５２】
〔比較例２〕
実施例１において、抗菌層に銅ＣＭＣを配合しない以外は実施例１と同様にして使い捨ておむつを得た。
【００５３】
〔比較例３〕
実施例１において、キレート層にゼオライトを配合しない以外は実施例１と同様にして使い捨ておむつを得た。
【００５４】
〔比較例４〕
実施例１において、消臭層に塩化亜鉛賦活活性炭を配合せず且つ吸収体にＥＤＴＡ２Ｎａを配合しない以外は実施例１と同様にして使い捨ておむつを得た。
【００５５】
〔比較例５〕
実施例１において、消臭層に塩化亜鉛賦活活性炭を配合せず且つキレート層にゼオライトを配合しない以外は実施例１と同様にして使い捨ておむつを得た。
【００５６】
〔比較例６〕
実施例１において、キレート層にゼオライトを配合せず且つ吸収体にＥＤＴＡ２Ｎａを配合しない以外は実施例１と同様にして使い捨ておむつを得た。
【００５７】
〔性能評価〕
実施例及び比較例で得られたおむつについて、以下の方法で消臭効果、抗菌効果及び高吸収性ポリマーの分解防止効果を評価した。その結果を以下の表１に示す。
【００５８】
〔消臭効果〕
使い捨ておむつに１００ｇの人尿を注入し、１０分間静置した後使い捨ておむつから発生する臭いを６人のモニターにより、以下の６段階の基準で評価した。数値が小さいほど印象が良いことを意味する。
５：元の臭いよりも非常に強くなったと感じた。
４：元の臭いより強くなったと感じた。
３：元の臭いと変わらない。
２：元の臭いより弱くなったと感じる。
１：元の臭いより非常に弱くなったと感じる。
０：無臭である。
【００５９】
〔抗菌効果１〕
以下の方法で調製され、所定数の大腸菌を含んだ人工尿を、以下の方法で調製したおむつ試料に注入し３０℃の環境で２４時間保存した後、試料をその飽和吸収量よりも過剰の生理食塩水に入れて撹拌した。液を濾過して液中の菌数を計測した。計測された菌数について、実施例３を対照として以下の基準で抗菌効果を評価した。
―：対照よりも菌の増殖が抑制されている。
＋：対照よりも菌が増殖するかまたは同数である。
【００６０】
大腸菌入り人工尿の調製
滅菌フィルターユニット（製品名ＮＡＬＧＥＮＥ、ポアサイズ０．４５μｍ）で滅菌処理した人工尿に、大腸菌（Escherichia coil）を、その数が１０4個／ｍｌになるように加える。
おむつ試料の調整
おむつを１００ｍｍ×５０ｍｍの大きさに裁断し、オートクレーブで１２１℃、２０分滅菌（ポリ塩化ビニリデン製フィルムでパッキング）する。
【００６１】
〔抗菌効果２〕
〔抗菌効果１〕と同様の方法で調製したおむつ試料に、滅菌フィルターユニット（製品名ＮＡＬＧＥＮＥ、ポアサイズ０．４５μｍ）で滅菌処理した人工尿を注入した。次いでオートクレーブで１２１℃、２０分滅菌処理した金巾３号布（１００ｍｍ×５０ｍｍ）をトップシート上に載せた。以下の方法で調製され、所定数の表皮ブドウ球菌を含んだ生理食塩水０．５ｍｌを金巾３号布にしみこませた。４５ｇ／ｃｍ2の荷重下３０℃の環境で試料を２４時間保存した。保存終了後、金巾３号布をその飽和吸収量よりも過剰の生理食塩水に入れて撹拌した。液を濾過して液中の菌数を計測した。計測された菌数について、実施例３を対照として以下の基準で抗菌効果を評価した。
―：対照よりも菌の増殖が抑制されている。
＋：対照よりも菌が増殖するかまたは同数である。
【００６２】
表皮ブドウ球菌入り生理食塩水の調製
滅菌フィルターユニット（製品名ＮＡＬＧＥＮＥ、ポアサイズ０．４５μｍ）で滅菌処理した生理食塩水に、表皮ブドウ球菌（Staphyrlococcus epidermidis）をその数が１０4個／ｍｌになるように加える。
【００６３】
〔高吸収性ポリマーの分解防止効果〕
Ｌ−アスコルビン酸を５００ｐｐｍ含有する生理食塩水溶液１００ｃｃを、実施例及び比較例で得られたおむつに注入する。次いでおむつを３７℃の恒温装置内に静置する。６時間経過後の高吸水性ポリマーの分解状態を目視観察し、以下の基準で分解防止効果を評価した。
Ａ：高吸収性ポリマーは分解せず、保水性能を維持した。
Ｂ：高吸収性ポリマーが一部分解して部分的にポリマーの保形性が失われたが保水性能は維持した。
Ｃ：高吸収性ポリマーの溶解（分解）が著しく、液状化して保水性能を失った。
【００６４】
【表１】
0004401044.tif 000002
【００６５】
表１に示す結果から明らかなように、消臭剤、金属を含む抗菌剤及びキレート剤を含有するシート材が配されている実施例１〜３のおむつは、消臭効果及びおむつ本体の抗菌効果に優れていると共に、肌の表面を保護している皮膚常在菌に対する影響が少なく皮膚ダメージ防止効果を有することが判る。消臭効果及び皮膚ダメージ防止効果は、消臭層中にキレート剤が含有されている実施例２のおむつに比べ、消臭層よりもトップシート側にキレート層が配されている実施例１のおむつにおいて特に顕著であった。さらに吸収体にキレート剤を配合することで、金属イオンに起因する高吸収性ポリマーの分解に伴う吸収性能低下を防止できることが判る。それに対し、比較例では、消臭効果、抗菌効果及び皮膚のダメージ防止効果の何れかが欠け、機能の低下が認められる。
【００６６】
【発明の効果】
本発明の吸収性物品によれば、使用者に一層安全で且つ効率よく、排泄物に起因する菌汚染や悪臭の発生及び高吸収性ポリマーの劣化、分解を抑制することができる。
【図面の簡単な説明】
【図１】本発明の吸収性物品の一例としての使い捨ておむつを示す一部破断斜視図である。
【図２】図１に示す使い捨ておむつに用いられている吸収体の幅芳香断面図である。
【図３】図１に示す吸収体に用いられている抗菌消臭シートの幅方向断面図である。
【符号の説明】
１  使い捨ておむつ（吸収性物品）
２  トップシート
３  バックシート
４  吸収体
５  サイドフラップ
６  伸縮弾性部材
７  抗菌消臭シート
８  消臭層
９  抗菌層
１０  キレート層
【図１】
0004401044.tif 000003
【図２】
0004401044.tif 000004
【図３】
0004401044.tif 000005